(57)【特許請求の範囲】
【請求項１】
記憶媒体から制御情報を読み込み、読み込んだ制御情報を基に制御可能な電化製品であって、
情報を処理するための情報の処理手段と、
情報を記憶媒体から読み込むための情報の読込手段と、
を具備し、
前記処理手段が、
前記読込手段を用いて記憶媒体から情報を読み込み、実行可能な制御情報がいくつあるかを確認するステップと、
実行可能な制御情報が１つである場合は、読み込んだ制御情報を基に制御を開始するステップと、
実行可能な制御情報が１つではない場合は、読み込んだ制御情報を基にした制御を自動で中止するステップと、
を実行できる、
ことを特徴とする、電化製品。
【請求項２】
記憶媒体から制御情報を読み込み、読み込んだ制御情報を基に制御可能な電化製品であって、
情報を処理するための情報の処理手段と、
情報を記憶媒体から読み込むための情報の読込手段と、
を具備し、
前記処理手段が、
前記読込手段を用いて記憶媒体から情報を読み込み、実行可能な制御情報がいくつあるかを確認するステップと、
実行可能な制御情報が１つである場合は、読み込んだ制御情報を基に制御を開始するステップと、
実行可能な制御情報が１つではない場合は、記憶媒体に記憶されている制御情報を削除するステップと、
を実行できる、
ことを特徴とする、電化製品。
【請求項３】
請求項１、請求項２、の少なくとも１つ記載の電化製品において、
磁力により接点のオンとオフを切り替える切換え手段を具備し、
記憶媒体から制御情報を読み込み、実行可能な制御情報が１つかどうかを確認するステップ、
を前記切換え手段に連動して実行できること、を特徴とする、電化製品。
【発明の詳細な説明】
【技術分野】
【０００１】
本発明は、主に、電化製品に関するものである。
【背景技術】
【０００２】
従来、家電製品および電気制御可能な製品（以下両方を合わせて説明の便宜上電化製品とする）、は周知の制御方法によって制御されている。
（例えば非特許文献１、非特許文献２、非特許文献３、非特許文献４、参照）  
【０００３】
電化製品としては周知の物として、映像を表示するためのテレビ、映像を録画するための録画用デッキ、録画された映像を再生するための再生用デッキ、洗濯をするための
洗濯機、乾燥をするための乾燥機、洗濯および乾燥をするための洗濯乾燥機、加熱調理をするための電子レンジ、加熱調理をするためのオーブントースター、パソコン、カメラ、扇風機、ファンヒーター、オイルヒーター、空気清浄機、除湿機、マッサージ機、室温や湿度を調整するためのエアコン、道案内をするためのカーナビ、などがあり、上記以外にも周知の物が多くある。
（例えば非特許文献２、非特許文献３、非特許文献４、参照）
また、スマート家電といった、携帯端末を用いて操作可能な電化製品がある。
【０００４】
制御情報（プログラム）を、記憶媒体（ＩＣカード）に出力（書き戻す）することができるＩＣカード対応の電化製品（家電）がある。
（例えば特許文献１参照）
【先行技術文献】
【特許文献】
【０００５】
【特許文献１】特開２００６−３０２００８号公報
【非特許文献】
【０００６】
【非特許文献１】門田和雄著、「今日からモノ知りシリーズトコトンやさしい制御の    本」日刊工業新聞社出版、２０１１年７月２８日発行、１０‐１５６頁
【非特許文献２】佐藤銀平著、「化学のはたらきシリーズ第１巻「家電製品がわかる    １」-アインシュタインの冷蔵庫-」東京書籍株式会社出版、２００８年１月３０日、    １２‐２１６頁
【非特許文献３】佐藤銀平著、「化学のはたらきシリーズ第２巻「家電製品がわかる    ２」-相対性理論で正しく動くＧＰＳ-」東京書籍株式会社出版、２００８年１月３０    日、２‐２１７頁
【非特許文献４】安藤龍男発行、「家電製品エンジニア資格生活家電の基礎と製品技    術」日本放送出版協会発行、２００１年５月３０日、１‐４３７頁
【発明の概要】
【発明が解決しようとする課題】
【０００７】
電化製品において、記憶媒体から、電化製品に所定の動作を行わせるための情報である制御情報、を読み込み、読み込んだ制御情報を基に制御できるようにし、かつ、記憶媒体に記憶されている制御情報の数（種類）に応じて、情報の処理の流れを変え、制御に用いる制御情報を可能な限り、機械上で、使用者が選択する必要をなくす、ことを目的としている。
【課題を解決するための手段】
【０００８】
課題を解決するための請求項１記載の電化製品は、記憶媒体から制御情報を読み込み、読み込んだ制御情報を基に制御可能な電化製品であって、情報を処理するための情報の処理手段と、情報を記憶媒体から読み込むための情報の読込手段と、を具備し、前記処理手段が、前記読込手段を用いて記憶媒体から情報を読み込み、実行可能な制御情報がいくつあるかを確認するステップと、実行可能な制御情報が１つである場合は、読み込んだ制御情報を基に制御を開始するステップと、実行可能な制御情報が１つではない場合は、読み込んだ制御情報を基にした制御を中止するステップと、を実行できる、ことを特徴としている。
【０００９】
課題を解決するための請求項２記載の電化製品は、記憶媒体から制御情報を読み込み、読み込んだ制御情報を基に制御可能な電化製品であって、情報を処理するための情報の処理手段と、情報を記憶媒体から読み込むための情報の読込手段と、を具備し、前記処理手段が、前記読込手段を用いて記憶媒体から情報を読み込み、実行可能な制御情報がいくつあるかを確認するステップと、実行可能な制御情報が１つである場合は、読み込んだ制御情報を基にした、制御を開始できる状態で待機するステップと、実行可能な制御情報が１つではない場合は、読み込んだ制御情報を基にした制御を中止するステップと、を実行できる、ことを特徴としている。
【００１０】
課題を解決するための請求項３記載の電化製品は、記憶媒体から制御情報を読み込み、読み込んだ制御情報を基に制御可能な電化製品であって、情報を処理するための情報の処理手段と、情報を記憶媒体から読み込むための情報の読込手段と、音を発するための発音手段と、を具備し、前記処理手段が、前記読込手段を用いて記憶媒体から情報を読み込み、実行可能な制御情報がいくつあるかを確認するステップと、実行可能な制御情報が１つである場合は、読み込んだ制御情報を基に制御を開始するステップと、実行可能な制御情報が１つではない場合は、前記発音手段を用いて警告音を発し、読み込んだ制御情報を基にした制御を中止するステップと、を実行できる、ことを特徴としている。
【００１１】
課題を解決するための請求項４記載の電化製品は、記憶媒体から制御情報を読み込み、読み込んだ制御情報を基に制御可能な電化製品であって、情報を処理するための情報の処理手段と、情報を記憶媒体から読み込むための情報の読込手段と、音を発するための発音手段と、を具備し、前記処理手段が、前記読込手段を用いて記憶媒体から情報を読み込み、実行可能な制御情報がいくつあるかを確認するステップと、実行可能な制御情報が１つである場合は、読み込んだ制御情報を基にした、制御を開始できる状態で待機するステップと、実行可能な制御情報が１つではない場合は、前記発音手段を用いて警告音を発し、読み込んだ制御情報を基にした制御を中止するステップと、を実行できる、ことを特徴としている。
【００１２】
課題を解決するための請求項５記載の電化製品は、記憶媒体から制御情報を読み込み、読み込んだ制御情報を基に制御可能な電化製品であって、情報を処理するための情報の処理手段と、情報を記憶媒体から読み込むための情報の読込手段と、情報を表示するための情報の表示手段と、電化製品を操作するための操作手段と、を具備し、前記処理手段が、前記読込手段を用いて記憶媒体から情報を読み込み、実行可能な制御情報がいくつあるかを確認するステップと、実行可能な制御情報が１つである場合は、読み込んだ制御情報を基に制御を開始するステップと、実行可能な制御情報が１つではない場合は、読み込んだ制御情報を、表示手段を用いて表示するステップと、を実行できる、ことを特徴としている。
【００１３】
課題を解決するための請求項６記載の電化製品は、記憶媒体から制御情報を読み込み、読み込んだ制御情報を基に制御可能な電化製品であって、情報を処理するための情報の処理手段と、情報を記憶媒体から読み込むための情報の読込手段と、情報を表示するための情報の表示手段と、電化製品を操作するための操作手段と、を具備し、前記処理手段が、前記読込手段を用いて記憶媒体から情報を読み込み、実行可能な制御情報がいくつあるかを確認するステップと、実行可能な制御情報が１つである場合は、読み込んだ制御情報を基にした、制御を開始できる状態で待機するステップと、実行可能な制御情報が１つではない場合は、読み込んだ制御情報を、表示手段を用いて表示するステップと、を実行できる、ことを特徴としている。
【００１４】
課題を解決するための請求項７記載の電化製品は、記憶媒体から制御情報を読み込み、読み込んだ制御情報を基に制御可能な電化製品であって、情報を処理するための情報の処理手段と、情報を記憶媒体から読み込むための情報の読込手段と、を具備し、前記処理手段が、前記読込手段を用いて記憶媒体から情報を読み込み、実行可能な制御情報がいくつあるかを確認するステップと、実行可能な制御情報が１つである場合は、読み込んだ制御情報を基に制御を開始するステップと、実行可能な制御情報が１つではない場合は、記憶媒体に記憶されている制御情報を削除するステップと、を実行できる、ことを特徴としている。
【００１５】
課題を解決するための請求項８記載の電化製品は、記憶媒体から制御情報を読み込み、読み込んだ制御情報を基に制御可能な電化製品であって、情報を処理するための情報の処理手段と、情報を記憶媒体から読み込むための情報の読込手段と、を具備し、前記処理手段が、前記読込手段を用いて記憶媒体から情報を読み込み、実行可能な制御情報がいくつあるかを確認するステップと、実行可能な制御情報が１つである場合は、読み込んだ制御情報を基にした、制御を開始できる状態で待機するステップと、
実行可能な制御情報が１つではない場合は、記憶媒体に記憶されている制御情報を削除するステップと、を実行できる、ことを特徴としている。
【００１６】
課題を解決するための請求項９記載の電化製品は、請求項１および請求項２の少なくとも１つ記載の電化製品において、磁力により接点のオンとオフを切り替える切換え手段を具備し、記憶媒体から制御情報を読み込み、実行可能な制御情報が１つかどうかを確認するステップ、を前記切換え手段に連動して実行できること、を特徴としている。
【発明の効果】
【００１７】
上述したように、本発明の電化製品は、実行可能な制御情報が１つである場合は、制御情報を選択することなく、読み込んだ制御情報を基にした、電化製品の制御が可能であり、機械上で制御情報を使用者が選択する必要がない。
また、記憶媒体に記憶されている実行可能な制御情報が２つ以上ある場合においても、記憶媒体に記憶されている制御情報が１つである場合と異なった処理を行うことができるため、読み込んだ制御情報が２つ以上あることによる誤作動も回避することができる。
【図面の簡単な説明】
【００１８】
【図１】図１は制御情報の出力が可能な電化製品の概略図である。
【発明を実施するための形態】
【００１９】
読込み手段と、情報の処理手段と、情報の記憶手段と、から、記憶媒体に記憶されている制御情報を読込み実行可能なように構成し、電化製品に具備する。書込手段を加え、書込手段と読込手段は１つの物として構成し、書込手段/読込手段とすることがより望ましい。
【００２０】
また、電化製品に操作手段がない場合は操作手段を具備することがより望ましい。
【００２１】
読込手段は、情報を、記憶媒体から読み込むための物である。読込手段は周知の物があり、最適な物を用いればよく、詳細な説明を省略するが、例えば、周知の物としてＩＣカードリーダ、メモリカードリーダ、ＵＳＢメモリリーダ、ディスクドライブ、ＭＯ、などがある。読込手段の種類により読み込み可能な状態が異なるが、説明の便宜上、読込手段による情報の読み込みが可能な状態にすることを、以下、読込手段にセットする、とする。
【００２２】
読込手段にセットする、の例としては、読込手段が非接触型の読込手段の場合は読込位置に記憶媒体を持っていき読み込みを待つ、読込手段が接触型の読込手段の場合は記憶媒体を読込手段に接続し読み込みを待つ、ようにすればよい。
【００２３】
情報の処理手段は、電化製品の制御に関する情報の処理を行うための物である。情報の処理手段は周知の物があり、最適な物を用いればよく、詳細な説明を省略するが、例えば、周知のものとしてＣＰＵ（制御/演算装置）、ＭＰＵ（制御/演算装置）などがある。
【００２４】
情報の記憶手段は、情報を記憶するための物である。情報の記憶手段は周知の物があり、最適な物を用いればよく、詳細な説明を省略するが、例えば、周知の物としてメモリ、記憶装置、主記憶装置、補助記憶装置、ハードディスク、などがある。
【００２５】
記憶媒体は、電化製品の記憶手段とは別に制御情報を記憶するための物である。記憶媒体は周知の物があり、最適な物を用いればよく、詳細な説明を省略するが、例えば、周知の物としてＩＣカード、メモリカード、ＵＳＢメモリ、光ディスク、ＭＯ、などがある。
【００２６】
書込手段は、電化製品を制御するための情報としての制御情報を、記憶媒体に書込む（保存する、記憶する）ための物である。書き込み手段は周知の物があり、最適な物を用いればよく、詳細な説明を省略するが、例えば、周知の物としてICカードライタ、メモリカードライタ、ＵＳＢメモリライタ、ディスクドライブ、ＭＯ，などがある。書込手段の種類により書込み可能な状態が異なるが、説明の便宜上、書込手段による情報の書き込みが可能な状態にすることを、以下、書込手段にセットする、とする。
【００２７】
書込手段にセットする、の例としては、書込手段が非接触型の書込手段の場合は書込み位置に記憶媒体を持っていき書込みを待つ、書込手段が接触型の書込手段の場合は記憶媒体を書込手段に接続し書込みを待つ、ようにすればよい。
【００２８】
操作手段は、電化製品の操作を行うための物である。操作手段は周知の物があり、電化製品に応じて最適な物を用いればよく、詳細な説明を省略するが、例えば、周知の物として、スイッチ、リモートコントローラー、タッチパネル、キーボードなどがある。
操作手段を用いて操作を行い所定の制御および情報の処理を実行する方法は周知であり、本発明の特徴とする部分では無く省略するが、操作に応じて所定の制御および情報の処理が行われるのであれば形状や構成を限定する物ではない。このときの制御および情報の処理などは、情報の処理手段が制御および処理し、制御および処理のためのプログラムは予め記憶手段に記憶しておく。
【００２９】
制御情報は、電化製品を制御するためのプログラムや、電化製品を制御するためのプログラムを選択するためのキー情報や、など制御情報を読み込んだ電化製品が、所定の動作を行うことができる物であればよい。
【００３０】
制御情報をプログラムとする場合は、プログラムに識別子を含めるようにし、実行可能なプログラムの識別子の一覧を予め電化製品の記憶手段に記憶しておき、読み込んだ制御情報（プログラム）が実行可能か判断できるようにすることが望ましい。
【００３１】
制御情報をキー情報とする場合は、キー情報を読み込んだ際どのプログラムを実行するか、を予め記憶手段に記憶しておき、読み込んだキー情報に応じたプログラムを実行できるようにする。また、キー情報に電化製品の種類や型番を特定するための情報を含むようにし、より細かにプログラムとの対応関係を設定しても良い。キー情報は識別子のような情報で良い。例えば、キー情報をＡ１２対応するプログラムがプログラム１２、キー情報をＡ８９対応するプログラムがプログラム８９、のようにキー情報毎に対応するプログラムを予め設定しておく。
【００３２】
電化製品をプログラムの実行によって制御する、方法、手段、は本発明の特徴とする部分ではなく周知であり詳細な説明は省略するが、電化製品の種類に応じて最適なものを用いればよい。
【００３３】
処理の流れの一例を以下に説明する。
１）   使用者は、記憶媒体を読込手段にセットする。
２）   電化製品の情報の処理手段は、読込手段を用いて記憶媒体から制御情報を読込む。
３）   電化製品の情報の処理手段は、読み込んだ制御情報のうち実行可能な制御情報がいくつあるかを確認する。
４）   確認の結果１つであった場合は、電化製品の情報の処理手段は、読み込んだ制御情報を基に電化製品の制御を行う処理を実行する。
５）   確認の結果１つではなかった場合は、電化製品の情報の処理手段は、読み込んだ制御情報を基にした制御を中止する。
【００３４】
処理の流れの一例の４）を、４）確認の結果１つであった場合は、電化製品の情報の処理手段は、読み込んだ制御情報を基にした制御を開始できる状態で待機する。
とし、操作手段による制御開始の操作が行われるのを待ち、操作が行われた後に読み込んだ制御情報を基に制御が行われるようにしても良い。
【００３５】
実行可能な制御情報が１つであるという確認（判断）は、記憶媒体に記憶されている制御情報が１つのみである場合だけではなく、仮に制御情報が複数記憶されていたとしても、実行可能な制御情報が１つ（種類）のみであった場合なども該当するようにすることが望ましい。
例えば、互換関係にある機種の制御情報が記憶されている場合や、関係の無い機種の制御情報が記憶されている場合などでも電化製品が実行可能な制御情報が１つであれば、１つであるという判断ができるようにする。
実行可能な制御情報かの判断には、例えば、電化製品が実行可能な制御情報かを判別するための識別子を制御情報に含めるようにし判断（識別）すればよい。
例えば制御情報に、識別子を含めるようにし、識別子Ａを含む制御情報を電化製品が実行可能な制御情報とするのであれば、Ａ１２のみ制御情報が記憶媒体に記憶されている場合は１つであるという判断となり、Ａ８９のみ制御情報が記憶媒体に記憶されている場合は１つであるという判断となり、Ｂ１２のみ制御情報が記憶媒体に記憶されている場合は１つではないという判断となり、Ａ１２、Ａ８９といった制御情報が記憶媒体に記憶されている場合は１つではないという判断となり、Ａ１２、Ｂ１２といった制御情報が記憶媒体に記憶されている場合は１つであるという判断となり、制御情報が記憶媒体に何も記憶されていない場合は１つではないという判断となる、確認（判断）方法は一例であり、確認（判断）が可能であればよい。前記記載の確認（判断）方法以外の方法として、例えば、実行可能な識別子の一覧を予め電化製品の記憶手段に記憶しておき、制御情報に識別子を含めるようにし、読み込んだ制御情報が実行可能か判断できるようにし、実行可能な制御情報をカウント（数えるように）し、実行可能な制御情報が１つであるかどうかを確認（判断）すればよい。
【実施例１】
【００３６】
発明を実施するための形態に記載の電化製品に、音を発生させるための発音手段を具備し、記憶媒体に記憶されている実行可能な制御情報がいくつあるか確認した結果、記憶媒体に記憶されている実行可能な制御情報が１つではなかった場合、警告音を発声できるようにする。
【００３７】
処理の流れの一例を以下に説明する。
１）   使用者は、記憶媒体を読込手段にセットする。
２）   電化製品の情報の処理手段は、読込手段を用いて記憶媒体から制御情報を読込む。
３）   電化製品の情報の処理手段は、読み込んだ制御情報のうち実行可能な制御情報がいくつあるかを確認する。
４）   確認の結果１つであった場合は、電化製品の情報の処理手段は、読み込んだ制御情報を基に電化製品の制御を行う。
５）   確認の結果１つではなかった場合は、電化製品の情報の処理手段は、発音手段を用いて警告音を発生させ、読み込んだ制御情報を基にした制御を中止する。
【００３８】
処理の流れの一例の４）を、４）確認の結果１つであった場合は、電化製品の情報の処理手段は、読み込んだ制御情報を基にした制御を開始できる状態で待機する。
とし、操作手段による制御開始の操作が行われるのを待ち、操作が行われた後に読み込んだ制御情報を基に制御が行われるようにしても良い。
【実施例２】
【００３９】
発明を実施するための形態に記載の電化製品に情報を表示するための表示手段を具備し、記憶媒体に記憶されている実行可能な制御情報がいくつあるか確認した結果、記憶媒体に記憶されている実行可能な制御情報が１つではなかった場合、読み込んだ制御情報を表示できるようにする。
【００４０】
表示手段は、情報を表示するための物である。表示手段は周知の物があり電化製品に応じて最適な物を用いればよく、詳細な説明を省略するが、例えば周知のものとしてディスプレイ、液晶ディスプレイ、有機ＥＬディスプレイ、プラズマディスプレイ、３Ｄディスプレイ、タッチパネル、などがある。
【００４１】
制御情報の出力の流れの一例を以下に説明する。
１）   使用者は、記憶媒体を読込手段にセットする。
２）   電化製品の情報の処理手段は、読込手段を用いて記憶媒体から制御情報を読込む。
３）   電化製品の情報の処理手段は、読み込んだ制御情報のうち実行可能な制御情報がいくつあるかを確認する。
４）   確認の結果１つであった場合は、電化製品の情報の処理手段は、読み込んだ制御情報を基に電化製品の制御を行う。
５）   確認の結果１つではなかった場合は、電化製品の情報の処理手段は、表示手段を用いて読み込んだ制御情報を表示する。
【００４２】
処理の流れの一例の４）を、４）確認の結果１つであった場合は、電化製品の情報の処理手段は、読み込んだ制御情報を基にした制御を開始できる状態で待機する。
とし、操作手段による制御開始の操作が行われるのを待ち、操作が行われた後に読み込んだ制御情報を基に制御が行われるようにしても良い。
【実施例３】
【００４３】
発明を実施するための形態に記載の電化製品において、記憶媒体に記憶されている実行可能な制御情報がいくつあるか確認した結果、記憶媒体に記憶されている実行可能な制御情報が１つではなかった場合、記憶媒体に記憶されている制御情報を削除できるようにする。
【００４４】
実施例３の処理の流れの一例を以下に説明する。
１）   使用者は、記憶媒体を読込手段にセットする。
２）   電化製品の情報の処理手段は、読込手段を用いて記憶媒体から制御情報を読込む。
３）   電化製品の情報の処理手段は、読み込んだ制御情報のうち実行可能な制御情報がいくつあるかを確認する。
４）   確認の結果１つであった場合は、電化製品の情報の処理手段は、読み込んだ制御情報を基に電化製品の制御を行う。
５）   確認の結果１つではなかった場合は、電化製品の情報の処理手段は、書込み手段と読込手段を用いて記憶媒体に記憶されている制御情報の削除を行う。
【００４５】
処理の流れの一例の４）を、４）確認の結果１つであった場合は、電化製品の情報の処理手段は、読み込んだ制御情報を基にした制御を開始できる状態で待機する。
とし、操作手段による制御開始の操作が行われるのを待ち、操作が行われた後に読み込んだ制御情報を基に制御が行われるようにしても良い。
【実施例４】
【００４６】
発明を実施するための形態に記載の電化製品において、磁力により接点のオンとオフを切り替える、切換え手段としての磁力スイッチを具備し、読込手段を用いた制御情報の読み込みが、磁力スイッチと連動して行われるように構成し、記憶媒体に磁力スイッチを動作させるための磁石もしくは磁性体を具備し、記憶媒体を電化製品にセットするだけで、電化製品の電源入力がオンとなり、読込手段を用いた制御情報の読み込みが開始されるように構成する。
【符号の説明】
【００４７】
1  電化製品本体
2  書込手段/読込手段
【図１】
0006268336.tif 000002